(57)【要約】      （修正有）【課題】包装単体に必要な箇所でのみ貼り付けて複数個を連結し、偶然に力が加わっても破断せず、包装単体を１個ずつ分離する作業が簡単で包装単体に粘着部や見苦しい跡などが残ったりしないように構成する。【解決手段】物品を収納した収納部と、周縁部とを有する包装単体を、複数個、位置をずらせて連結するための連結装置について、一面に粘着材を付着させた粘着部１７と粘着材の存在しない非粘着部１８とを交互に形成し、剥離台紙１９の剥離容易面に接着して供給される帯状の連結本体１６と、非粘着部１８にて切り離した切り離し部２１と、他面にラミネートされたフィルム２２とを有し、複数個の包装単体１０を、剥離台紙１９から剥離した連結本体１６を用いて連結した状態から、人為的に包装単体１０を切り離すまでは、切り離し部２１が分離せず、切り離し部２１の切り離し力がフィルムの破断強度よりも大きく設定されている包装単体の連結装置。【選択図】図１
2007230599.tif 000002
【特許請求の範囲】
【請求項１】
物品を収納した収納部と、その周囲に設けられた周縁部とを有する、包装単体を、複数個、位置をずらせて連結するための連結装置であって、
一面に粘着材を付着させた粘着部と粘着材の存在しない非粘着部とを交互に形成し、粘着部にて剥離台紙の剥離容易面に接着して供給される帯状の連結本体と、
剥離台紙上に接着されている連結本体を非粘着部にて切り離した切り離し部と、
切り離し部の形成されている連結本体の他面にラミネートされたフィルムとを有し、
剥離台紙から剥離した連結本体を用いて包装単体複数個を連結した状態から、包装単体を切り離すまでは、切り離し部が分離せず、人為的な力を加えて切り離し部が切り離されると、ほぼ同時に、フィルムも裂けるように、切り離し部の切り離し力がフィルムの破断強度よりも大きく設定されている包装単体の連結装置。
【請求項２】
非粘着部が複数箇所設けられており、それらの非粘着部の間隔は、ずらせて配置した複数個の包装単体の縁部の間隔と等しくなるように設定されており、かつ、非粘着部と切り離し部が縁部とほぼ平行になるように設けられていて、上記の非粘着部を包装単体の縁部に合せて貼り付けるように構成された請求項１記載の包装単体の連結装置。
【請求項３】
ずらせて配置した、複数個の包装単体の配置方向のほぼ全長にわたって非粘着部が設けられており、切り離し部は、ずらせて配置した複数個の包装単体の縁部の間隔と等しく設定され、かつ、縁部とほぼ平行になる方向に設けられている請求項１記載の包装単体の連結装置。
【請求項４】
連結本体は、連結だけを目的としたもの、収納されている物品のラベルとなるもの、広告又は成分若しくは賞味期限など、収納されている物品に関する表示を有するもの、の中から選ばれた内容を有している請求項１記載の包装単体の連結装置。
【発明の詳細な説明】
【技術分野】
【０００１】
本発明は、物品を収納した収納部と、その周囲に設けられた周縁部とを有する、包装単体を、複数個、位置をずらせて連結するための連結装置に関するものである。
【背景技術】
【０００２】
例えば、ハムなどの食品の販売形態として、塊状のハムから薄切りして数枚ずつ包装したものは広く出回っている。また、この形態の食品を複数個重ね、かつ位置をずらせて連結した形態のものも公知である。後者の連結形態のものは、数個をまとめて包装、販売することにより、割安感を出すような販売方法において採用されることも多い。
【０００３】
従来、このような連結形態のものについては、特許第２９４７３４９号の発明があり、同発明は、物品包装単体と連結テープ片との貼着箇所は、物品収納部のみに止め、物品収納部以外の箇所にミシン目などの切り離しを容易にした部分を設け、刃物を使用しなくても容易に物品包装単体ごとに分離可能とした構成を有する。しかし、物品包装単体と連結テープ片との貼着箇所を、物品収納部のみに止めても、貼着部は連結テープ片の全面に形成されているため、保管中や、運搬時に物品収納部以外の箇所も接着してしまうことがあり、それを剥がすために手間の掛かることが指摘された。
【０００４】
また、特許第３５６４０４８号は、食品包装単体を連結する接着テープ自体に、接着領域と非接着領域とを設け、かつ、非接着領域に切断容易部を設けたものを使用し、切断容易部が隣接単体の周辺部の縁部に位置することとなる構成を有している。しかし、この構成の場合、非接着領域で接着の起こることはないが、運搬中や陳列中に、偶然に力が加わったときに、切断容易部が破断する可能性を否定できないという問題がある。
【０００５】
また、特開２００２−２９５６５号は、集積される包装体の結束に関し、複数の包装体の貼付部に位置する貼付領域と、複数の包装体の境界部に位置する境界領域とを有する帯状体を使用し、包装体を１個ずつ分離できるように境界領域近傍に、境界領域に対して対称に第１切り取り手段を形成するという構成を有している。この構成のものについても、第１切り取り手段は、帯状体の端縁に直交するように形成した１対のミシン目や切り込みであるから、外力により破断する可能性があるものと考えられる。
【０００６】
また、従来のものに共通することであるが、包装単体に分離したときに、きれいに分離しないで、粘着部の付着した部分が包装単体に露出状態となることがある。このような場合、露出した粘着部に、例えば包装紙や、レシート、新聞紙などが付着するという問題が起こり、また、それを剥がせば汚い跡が残り、好ましくない。
【０００７】
【特許文献１】特許第２９４７３４９号
【特許文献２】特許第３５６４０４８号
【特許文献３】特開２００２−２９５６５号
【発明の開示】
【発明が解決しようとする課題】
【０００８】
本発明は上記の点に着目して成されたもので、その課題は、包装単体に必要な箇所でのみ貼り付けて複数個を連結し、包装単体を複数個連結した状態では偶然に力が加わっても破断せず、包装単体を１個ずつ分離する作業が簡単、かつ、きれいに分離するとともに、１個ずつ分離した後で包装単体に粘着部や汚い跡が残ったりしない、包装単体の連結装置を提供することである。
【課題を解決するための手段】
【０００９】
前記の課題を解決するため本発明は、物品を収納した収納部と、その周囲に設けられた周縁部とを有する、包装単体を、複数個、位置をずらせて連結するための連結装置について、一面に粘着材を付着させた粘着部と粘着材の存在しない非粘着部とを交互に形成し、粘着部にて剥離台紙の剥離容易面に接着して供給される帯状の連結本体と、
剥離台紙上に接着されている連結本体を非粘着部にて切り離した切り離し部と、
切り離し部の形成されている連結本体の他面にラミネートされたフィルムとを有し、
剥離台紙から剥離した連結本体を、非粘着部を包装単体の縁部に合せて貼り付け、複数個連結した状態から、人為的に包装単体を切り離すまでは、切り離し部が分離せず、
人為的な力を加えて切り離し部が切り離されると、ほぼ同時に、フィルムも裂けるように、切り離し部の切り離し力がフィルムの破断強度よりも大きく設定するという手段を講じたものである。
【００１０】
上記の構成において、収納部は、物品を収納していることにより、周囲に設けられた周縁部よりも膨らんでおり、その収納部にて、複数個の包装単体を連結することは、前記従来例のものと同様である。連結される複数個の包装単体は、互いに位置をずらせて配置され、かつその状態で連結される。なお、連結装置は、複数個の包装単体の一面のみ、或いは、複数個の包装単体の両面に、設けることができる。
【００１１】
本発明の連結装置に必要な構成としては、まず、連結本体がある。連結本体は、複数個の包装単体を連結した状態において、保管、運搬、その他の過程にて簡単には破断しない強度を有している必要がある。このような連結本体は、複数個の包装単体に貼り付けるために、長短の差はあるものの帯状の形態を取り、その一面に粘着材を付着させた粘着部と粘着材の存在しない非粘着部とを交互に形成し、粘着部にて剥離台紙の剥離容易層に接着して供給される。
【００１２】
本発明において、粘着部と非粘着部は交互に配置する形態を取るが、それには二つの形態がある。一つは、非粘着部が複数箇所設けられており、それらの非粘着部の間隔は、ずらせて配置した複数個の包装単体の縁部の間隔と等しく設定されており、かつ、非粘着部と切り離し部が縁部とほぼ平行になるように設けられていて、非粘着部を包装単体の縁部に合せて貼り付けるという構成である。この場合連結本体を横長の帯状とすると、非粘着部は縦方向になり、ずらせて配置した複数個の包装単体の縁部の間隔と等しい間隔で設けられる。
【００１３】
もう一つの形態は、ずらせて配置した、複数個の包装単体の配置方向のほぼ全長にわたって非粘着部が設けられており、切り離し部は、ずらせて配置した複数個の包装単体の縁部の間隔と等しく設定され、かつ、縁部とほぼ平行になる方向に設けられているという構成である。この場合には、連結本体を横長の帯状とすると、非粘着部も横方向になり、ずらせて配置した複数個の包装単体の連結方向へ伸びる。非粘着部が横方向であるから、粘着部も横方向となり、例えば、中央に非粘着部、その両外側に粘着部が平行する形態を取る。
【００１４】
上記の形態を有する切り離し部は、剥離台紙上に接着されている連結本体を非粘着部にて切り離した状態とするもので、連結された状態の包装単体を分離するときに、分離作業を容易にするために、あらかじめ切り離しておくものである。切り離されていても、連結本体は粘着部により接着されている剥離台紙により一体の状態を保ち、剥離台紙から剥がされるまでは分離することはない。
【００１５】
そして、切り離し部の形成されている連結本体の他面に、フィルムがラミネートされている。この構成により、連結本体はフィルムによって一体の状態を保ち、剥離台紙から剥がされても、破断力が加えられるまでは、連結本体が分離してしまうことはない。
【００１６】
すなわち、剥離台紙から剥離した連結本体を、非粘着部を包装単体の縁部に合せて貼り付け、複数個連結した状態から、人為的に包装単体を切り離すまでは、切り離し部が分離せず、人為的な力を加えて切り離し部が切り離されたときに、それとほぼ同時に、フィルムも裂けるように、切り離し部の切り離し力がフィルムの破断強度よりも大きく設定するという手段が講じられている。このためにフィルムに必要な破断強度は、連結本体の粘着部の剥離台紙に対する接着力との関係、から求められる。すなわち、フィルムの破断強度は、連結本体の粘着部の剥離台紙に対する接着力を上回る。
【００１７】
このような連結本体には、次のような事項を付加することができる。連結本体は、連結だけを目的としたものであっても発明の目的を達するが、さらに、収納されている物品のラベルとなるもの、広告又は成分若しくは賞味期限など、収納されている物品に関する表示を有するものの中から選ばれた内容を有するものとすることができる。
【発明の効果】
【００１８】
本発明は上記のように構成されかつ作用するものであるから、包装単体に収納部の箇所でのみ貼り付けて複数個を連結し、一体の商品として扱うことができ、この包装単体を複数個連結した状態では偶然に力が加わっても、簡単には破断せず、その半面、包装単体を１個ずつ分離する作業は簡単にでき、かつ、きれいに分離するとともに、１個ずつ分離した後で包装単体に粘着部や汚い跡が残ったりすることもない。
【発明を実施するための最良の形態】
【００１９】
以下図示の実施形態を参照して、本発明をより詳細に説明する。図１は、本発明に係る包装単体の連結装置の二つの例を示している。図中、１０は包装単体であり、物品を収納した収納部１１と、その周囲に設けられた周縁部１２とを有しており、収納部１１は周囲の周縁部１２に対して膨らんでいる。
【００２０】
この包装単体１０を、複数個、位置をずらせて連結するための連結装置１５として、例１のものは、まず、帯状の連結本体１６を有している。例１の連結装置１５の場合、図２及び図３に示すように、連結本体１６は、一面に粘着材を付着させた粘着部１７と、粘着材の存在しない非粘着部１８とを交互に形成したもので、粘着部１７にて剥離台紙１９の剥離容易面に接着して供給される。図２では粘着部１７を独立した部材であるかのように記載しているが、粘着部１７は連結本体１６の一面に付着しているものである。
【００２１】
連結本体１６は、例えばユポ紙の名称を有する合成紙のような、強靭な紙材を使用して、帯状に形成されており、その一面に粘着材を付着させた構成を有している。連結本体１６に広告又は成分若しくは賞味期限など、収納されている物品に関する表示を有するもの、の中から選ばれた内容を印刷したものを使用することは自由に行なえる。交互に配置する形態を取る粘着部１７と非粘着部１８は、例１の場合には、次の形態を取る。すなわち、複数箇所の非粘着部１８は、それらの間隔が、ずらせて配置した複数個の包装単体１０の縁部１３の間隔と等しくなるように設定され、かつ、非粘着部１８と切り離し部２１が縁部１３とほぼ平行になるように設けられている。例１の場合、連結本体１６を横方向に長い帯状とすると、非粘着部１８は縦方向になる。
【００２２】
切り離し部２１は、剥離台紙上に接着されている連結本体１６を非粘着部１８にて切り離した状態とするもので、分離作業を容易にするために、あらかじめ完全に切り離しておくものである。切り離された連結本体１６は、粘着部１７により接着されている剥離台紙１９によって一体の状態を保っている。図２において、切り離し線２１は鎖線で図示されているが、切り離し加工は、連結本体１６が剥離台紙１９に粘着部１７で接着されている状態で連結本体１６のみ切断することによって行なう。
【００２３】
そして、切り離し部２１の形成されている連結本体１６の他面に、フィルム２２がラミネートされている。フィルム２２は、合成樹脂フィルム、中でも、ポリエチレンテレフタレート（ＰＥＴ）、ポリプロピレン（ＰＰ）は好ましい材料である。樹脂材料として、熱溶着性の合成樹脂フィルムを使用すると、連結本体１６との接着を加熱のみで行なえるので、接着剤を必要としないから好都合である。例１の場合、切り離し部２１の端部に切り離しの開始を早める切込み２３を設けている。
【００２４】
もう一つの形態に関する例２の連結装置２５では、ずらせて配置した、複数個の包装単体１０の配置方向のほぼ全長にわたって非粘着部２８が設けられており、切り離し部３１は、ずらせて配置した複数個の包装単体１０の縁部１３の間隔と等しく設定され、かつ、縁部１３とほぼ平行になる方向に設けられている。例２の場合には、図４に示すように、中央に非粘着部２８、その両外側に粘着部２７が平行する形態を取る。図４に詳細に示した例２では横長の帯状の連結本体２６に対し、非粘着部２８も横方向になり、ずらせて配置した複数個の包装単体１０の連結方向へ伸びる。非粘着部２８が横方向であるから、粘着部２７も横方向となる。
【００２５】
なお、図４中、剥離台紙の図示は省略されているが、粘着部２７に剥離台紙が接着された状態で扱われることは、例１の場合と同じである。また、その剥離台紙に粘着部２７にて接着されている状態において、切り離し部３１を形成する加工が行なわれ、さらに、切り離し部３１の形成されている連結本体２６の他面に、フィルム３２がラミネートされている構成も、例１の場合と同じである。例２の場合、非粘着部２８の部分における連結本体２６の、一対の切り離し線３３に沿った切除部分をフィルム３２とともに除去するために、切込み３４を端部に設けている。
【００２６】
このように構成された、本発明の作用を説明すると、例１の場合は、図５に示したように、包装単体１０を数個、位置をずらせて、かつ一部を重ねて、並べたものに本発明の例１の連結装置１５を、その各粘着部１７が、複数個の包装単体１０の、各々の収納部１１から周縁部１２に接着され、非粘着部１８が包装単体１０の縁部１３に合わさるように貼り付ける。これを複数個の包装単体１０の表裏について行なう。このように本発明の装置により、複数個の包装単体１０が一体となった、包装連結体２０が形成される。
【００２７】
この包装連結体２０は連結単体１６の強度と、連結単体１６にラミネートされたフィルムの強度によって、十分強固に連結されており、通常の取り扱い程度の外力で破断されることはない。分離時には包装連結体２０から、個々の包装単体１０に分離するのであるが、粘着部１７は、図５から明らかなように、包装単体１０の縁部１３に位置しているので、切り離し線２１によってごく容易に分離することができる。分離された包装単体１０には、連結装置の一部が残るが、その粘着部１７は露出せず、また一部が剥れたりすることもないので、他の物品が接着されたり、見苦しい形態にはなったりすることはない。残って付着している連結装置の一部には、広告等であり、破れたり剥れたりしている印象がない。
【００２８】
例２のものについても、同様の作用が得られる。すなわち、図６に示したように、包装単体１０を数個、位置をずらせて、かつ一部を重ねて並べたものに、例２の連結装置２５を、その各粘着部２７が、複数個の包装単体１０の、各々の収納部１１から周縁部１２に接着されるように、かつ、切り離し部３１が包装単体１０の縁部１３に合わさるように貼り付ける。これを複数個の包装単体１０の表裏について行なう。これにより、複数個の包装単体１０が一体となった、包装連結体３０が形成される。
【００２９】
例２のものも、例１のものと同様十分強固に連結されており、通常の取り扱い程度の外力で破断されることはない。個々の包装単体１０に分離する際において、切り離し部３１は、図６に示されているように、包装単体１０の縁部１３に位置しているので、ごく容易に分離することができる。分離された包装単体１０には、連結装置の一部が例１同様に残るが、その粘着部２７は露出せず、また一部が剥れたりすることもないので、他の物品に接着したり、見苦しい形態にはなったりすることはないし、また、付着している連結装置の一部は広告等であり、破れたり剥れたりしている印象にもならない。
【００３０】
例１、例２の連結装置１５、２５は、無地の状態で図示されているが、これは無地のままでも良いし、或いは文字、商標等を記載したラベルであっても良い。また、成分表示や、バーコード類の表示面としても利用できる。
【図面の簡単な説明】
【００３１】
【図１】本発明に係る包装単体の連結装置を示すもので、例１及び例２のものを併記した斜視図。
【図２】図１における例１のものの分解斜視図。
【図３】図２の一部を拡大して示す断面図。
【図４】図１における例２を示すもので、Ａは端面図、Ｂは平面図、Ｃは側面図。
【図５】本発明の例１のものの使用状態を示す斜視図。
【図６】本発明の例２のものの使用状態を示す斜視図。を示す説明図。
【符号の説明】
【００３２】
１０  包装単体
１１  収納部
１２  周縁部
１３  縁部
１５、２５  連結装置
１６、２６  連結本体
１７、２７  粘着部
１８、２８  非粘着部
２０、３０  包装連結体
２１、３１  切り離し部
２２、３２  フィルム
３３  切り離し線
３４  切込み
【図１】
2007230599.tif 000003
【図２】
2007230599.tif 000004
【図３】
2007230599.tif 000005
【図４】
2007230599.tif 000006
【図５】
2007230599.tif 000007
【図６】
2007230599.tif 000008